(57)【要約】  筐体パネルによって外郭を覆われた室外機であって、筐体パネルは、内部の機械室と連通した開口部を有しており、開口部には、開口部と対向する面のみが開口してなる室外機カバーが着脱自在に設けられ、室外機カバーは、室外機に配置された冷媒配管との間に設けられる中継配管と、中継配管に設けられる冷媒の流通を遮断する遮断弁と、遮断弁および中継配管の少なくとも一方を固定するための固定部と、を有する。これにより、内部の機械室と連通した空間を設け、当該空間を遮断弁の設置スペースとして確保でき、当該遮断弁を容易に設置できる。
2020110226.tif 000002
【特許請求の範囲】
【請求項１】
筐体パネルによって外郭を覆われた室外機であって、
前記筐体パネルは、内部の機械室と連通した開口部を有しており、
前記開口部には、
前記開口部と対向する面のみが開口してなる室外機カバーが着脱自在に設けられ、
前記室外機カバーは、
前記室外機に配置された冷媒配管と接続される中継配管と、
前記中継配管に設けられる前記冷媒の流通を遮断する遮断弁と、
前記遮断弁および前記中継配管の少なくとも一方を固定するための固定部と、を有する室外機。
【請求項２】
前記室外機カバーは、
鉛直方向の下方に位置する底面部が前記開口に向かって下り傾斜してなる請求項１に記載の室外機。
【請求項３】
前記室外機カバーは、
前記底面部の前記開口部側端部における中央に、前記筐体パネルにおける前記開口部の周囲に設けられた係合部と係合する爪部が設けられている請求項２に記載の室外機。
【請求項４】
前記室外機カバーは、
前記底面部の前記開口部側端部における前記爪部の両側に、前記底面部の両側部から前記爪部に向かって傾斜した導水部が設けられている請求項３に記載の室外機。
【請求項５】
前記室外機カバーは、
鉛直方向の上方に位置する上面部が前記開口に向かって上り傾斜してなる請求項１〜４のいずれか一項に記載の室外機。
【発明の詳細な説明】
【技術分野】
【０００１】
本発明は、冷媒を流通する冷媒配管を介して室内機と接続される室外機に関する。
【背景技術】
【０００２】
従来から室外機として、例えば、特許文献１に記載の室外機が知られている。この室外機は、空気調和装置の室外機であり、室内機との間で冷媒配管を接続する際に使用する操作弁が、当該室外機の底板に固定されている。そして、操作弁の周囲は、カバーにより覆われている。【０００３】
ところで、近年、地球温暖化対策の観点から、室外機に使用される冷媒において、地球温暖化係数の低い冷媒への転換が求められている。よって、このような冷媒としては、ＨＦＣ４１０Ａに比べて地球温暖化係数の低いＨＦＣ３２が主流となっている。【０００４】
ところが、かかるＨＦＣ３２は微燃性である。また、その他の地球温暖化係数の低い冷媒においても燃焼性の度合いは別として可燃性のものが多い。そして、このような地球温暖化係数の低い冷媒としては、今後、より環境負荷が小さいＬＰガス、またはＣＯ２等へ置き換えることも検討されており、安全性への更なる配慮が必要である。【０００５】
ここで、仮に、ユーザーが可燃性の冷媒の漏洩に気付かないまま、一定時間が経過したとする。この場合、冷媒が漏洩している室内機を設置した室内では換気が行われず、冷媒が拡散されないため、溜まった冷媒によって冷媒濃度の高い箇所が生じる虞がある。
とりわけ、可燃性冷媒を使用する家庭用冷温水給湯空調ヒートポンプ機種等の室内機を物置小屋等の狭小空間に設置した場合、冷媒の漏洩が生じた非常時に空気中の冷媒濃度が上がり得る虞があった。【０００６】
そのため、近年の室外機においては、非常時の安全性を確保するべく、室外機と室内機とを接続する冷媒配管に遮断弁を設ける傾向が強まっている。このような室外機では、室外機と室内機を接続する冷媒配管に遮断弁を設けることで、可燃性の冷媒が漏洩した際に室外機から室内機への冷媒の供給を遮断して当該室内機を隔離できるため、冷媒の漏洩が拡大するのを回避できるようになっている。
【先行技術文献】
【特許文献】
【０００７】
【特許文献１】特開２０１４−０７４５４４号公報
【発明の概要】
【発明が解決しようとする課題】
【０００８】
しかしながら、特許文献１の室外機をはじめとする従来の室外機においては、小型化および省スペース化が進んでおり、かかる遮断弁を設置するためのスペースの確保が困難であり、当該遮断弁の設置が容易ではなかった。【０００９】
本発明は、上記課題を解決するためのものであり、遮断弁の設置スペースを確保し、当該遮断弁を容易に設置できる室外機を提供することを目的とする。
【課題を解決するための手段】
【００１０】
本発明に係る室外機は、筐体パネルによって外郭を覆われた室外機であって、前記筐体パネルは、内部の機械室と連通した開口部を有しており、前記開口部には、前記開口部と対向する面のみが開口してなる室外機カバーが着脱自在に設けられ、前記室外機カバーは、前記室外機に配置された冷媒配管との間に設けられる中継配管と、前記中継配管に設けられる前記冷媒の流通を遮断する遮断弁と、前記遮断弁および前記中継配管の少なくとも一方を固定するための固定部と、を有するものである。
【発明の効果】
【００１１】
本発明に係る室外機によれば、室外機の筐体パネルに設けられた機械室と連通する開口部に対して着脱自在に備える室外機カバーに、中継配管と、遮断弁と、これら遮断弁および中継配管の少なくとも一方を固定するための固定部と、を有するようにした。よって、室外機の内部の機械室と連通した空間を室外機カバー内に設け、当該空間を遮断弁の設置スペースとして確保できるので、当該遮断弁を容易に設置できる。
【図面の簡単な説明】
【００１２】
【図１】本発明の実施の形態１に係る室外機の外観を示す正面図である。
【図２】本発明の実施の形態１に係る室外機の外観を示す側面図である。
【図３】本発明の実施の形態１に係る室外機の外観を示す背面図である。
【図４】本発明の実施の形態１に係る室外機の外観を示す背面斜視図である。
【図５】図１の室外機の内部を上方から見て示す概略図である。
【図６】図１の室外機を用いた空気調和装置の冷媒回路を示す模式図である。
【図７】図１の室外機の要部を示す内部斜視図である。
【図８】図１の室外機の要部を示す外部斜視図である。
【図９】図７の室外機カバーの内部構造を示す部分断面図である。
【図１０】図７の室外機カバーの底面部を上方から見て示す概略図である。
【発明を実施するための形態】
【００１３】
以下、図面に基づいて本発明の実施の形態について説明する。なお、明細書全文に示す構成要素の形態は、あくまで例示であってこれらの記載に限定されるものではない。すなわち、本発明は、請求の範囲および明細書全体から読み取ることのできる発明の要旨又は思想に反しない範囲で適宜変更可能である。また、そのような変更を伴う室外機も本発明の技術思想に含まれる。さらに、各図において、同一の符号を付したものは、同一の又はこれに相当するものであり、これは明細書の全文において共通している。なお、室外機としては、空気調和装置に限らず、低温機器、又は給湯機器等に配備される室外機を広く適用できる。
【００１４】
実施の形態１．
＜室外機１の構成＞
図１〜図５を参照しながら、本発明の実施の形態１に係る室外機１について説明する。図１は、本発明の実施の形態１に係る室外機の外観を示す正面図である。図２は、本発明の実施の形態１に係る室外機の外観を示す側面図である。図３は、本発明の実施の形態１に係る室外機の外観を示す背面図である。図４は、本発明の実施の形態１に係る室外機の外観を示す背面斜視図である。図５は、図１の室外機の内部を上方から見て示す概略図である。
【００１５】
図１〜図５に示すように、室外機１は、外郭を覆う筐体パネル２が直方体形状で形成されている。筐体パネル２の内部は、仕切板３によって風路室４と機械室５とに区画されている。風路室４における筐体パネル２の前面側には、プロペラファン６が設置されている。また、風路室４におけるプロペラファン６の背面側には、筐体パネル２の風路室４における背面側から側面側にかけてＬ字状に搭載される室外熱交換器５３が設置されている。
【００１６】
筐体パネル２は、前面上部外郭パネル２ａ、前面下部外郭パネル２ｂおよび背面上部外郭パネル２ｃから成り立っており、仕切板３と共に機械室５の側面四面を囲っている。
なお、前述した機械室５の筐体パネル２の構成は一例であり、筐体パネル２の部品点数または継ぎ目の位置等は限定しない。例えば、前面上部外郭パネル２ａと前面下部外郭パネル２ｂとを一体化した前面外郭パネルを用いた室外機であってもよい。
【００１７】
プロペラファン６は、回転中心となるボス６ａの外周に複数の翼６ｂが設けられ、図示省略するファンモーターにより回転駆動される。また、筐体パネル２におけるプロペラファン６の前面側に位置する前面上部外郭パネル２ａには、筐体パネル２の内部の空気を当該筐体パネル２の外部へと排出するためのスリット状の吹出口２ｄが設けられている。室外熱交換器５３は、詳細な図示を省略するが冷媒を流通させる伝熱管と、伝熱管を流れる冷媒と外気との間の伝熱面積を大きくするためのフィンとを備えた構造を有している。
【００１８】
機械室５には、ここでは図示を省略するが、室外熱交換器５３と冷媒配管４１ａを介して接続され、当該室外熱交換器５３へと冷媒を供給する圧縮機５１が設置されている（後述の図６参照）。また、機械室５には、室外機１の運転有無を検知する電流センサーをはじめ、パワーモジュールおよびインバータ基板等の電気部品が設置されている。
【００１９】
本実施の形態１の場合、筐体パネル２は、前面下部外郭パネル２ｂの背面側であって、背面上部外郭パネル２ｃの鉛直方向における下方に、内部の機械室５と連通した開口部２ｅ（後述する図９参照）を有している。そして、この開口部２ｅは、室外機カバー１０によって開口部分を覆われている。
【００２０】
さらに、機械室５には、冷媒を流通する冷媒配管１１が配置されている。この冷媒配管１１は、一方の端部に室外機１の閉鎖弁１２が設けられており、他方の端部が室外機カバー１０に配置される中継配管１３（後述する図６または図７等参照）と接続されている。本実施の形態１の場合、閉鎖弁１２は、ガス用閉鎖弁１２ａと、液用閉鎖弁１２ｂとから構成されている。ここで、閉鎖弁１２とは、例えば手動で開閉の切り替えが可能なバルブであり、この閉鎖弁１２を介して不図示の冷媒配管が接続された場合、閉状態から開状態に手動で切り替えることで、当該接続された冷媒配管との冷媒の流通を可能とするものである。
【００２１】
＜冷媒回路について＞
ここで、本実施の形態１における室外機１を用いた空気調和装置１００の冷媒回路について、図６を参照しながら説明する。図６は、図１の室外機１を用いた空気調和装置１００の冷媒回路を示す模式図である。図６に示すように、空気調和装置１００は、冷媒を介して外気と室内の空気との間で熱を移動させることにより、室内を暖房または冷房して空気調和を行う。空気調和装置１００は、室外機１と、室内機４０とを有する。なお、本実施の形態１では、室外機１に対して室内機４０を１台設置する場合について述べるが、本発明はこれに限らず、室内機４０は複数台設置されてもよい。
【００２２】
空気調和装置１００は、室外機１と室内機４０とが冷媒配管４１ａ、４１ｂにより配管接続され、冷媒が循環する冷媒回路５０が構成されている。そして、空気調和装置１００の冷媒回路５０では、圧縮機５１、流路切替装置５２、室外熱交換器５３、膨張弁５４および室内熱交換器５５が冷媒配管４１ａ、４１ｂを介して接続されている。
【００２３】
室外機１は、圧縮機５１、流路切替装置５２、室外熱交換器５３および、膨張弁５４を有している。圧縮機５１は、吸入した冷媒を圧縮して吐出する。ここで、圧縮機５１は、インバータ装置を備えていてもよく、インバータ装置によって運転周波数を変化させて、圧縮機５１の容量を変更することができるように構成されてもよい。なお、圧縮機５１の容量とは、単位時間当たりに送り出す冷媒の量である。流路切替装置５２は、例えば四方弁であり、冷媒流路の方向の切り換えが行われる装置である。
【００２４】
空気調和装置１００は、制御部（不図示）からの指示に基づいて、流路切替装置５２を用いて冷媒の流れを切り換えることで、暖房運転または冷房運転を実現することができる。室外熱交換器５３は、冷媒と室外空気との熱交換を行う。室外熱交換器５３は、暖房運転時には蒸発器の働きをし、冷媒配管４１ｂから流入した低圧の冷媒と室外空気との間で熱交換を行って冷媒を蒸発させて気化させ、冷媒配管４１ａ側に流出させる。室外熱交換器５３は、冷房運転時には、凝縮器の働きをし、流路切替装置５２側から流入した圧縮機５１で圧縮済の冷媒と室外空気との間で熱交換を行って、冷媒を凝縮させて液化させる。室外熱交換器５３には、冷媒と室外空気との間の熱交換の効率を高めるために、室外送風機５６が設けられている。室外送風機５６は、インバータ装置を取り付け、ファンモーターの運転周波数を変化させてファンの回転速度を変更してもよい。膨張弁５４は、絞り装置（流量制御手段）であり、膨張弁５４を流れる冷媒の流量を調節することにより、膨張弁として機能し、開度を変化させることで、冷媒の圧力を調整する。例えば、膨張弁５４が、電子式膨張弁等で構成された場合、制御部等の指示に基づいて開度調整が行われる。
【００２５】
室内機４０は、冷媒と室内空気との間で熱交換を行う室内熱交換器５５および、室内熱交換器５５が熱交換を行う空気の流れを調整する送風機５７を有する。このとき、室内機４０は、冷媒回路５０内で使用される冷媒が漏洩したことを検知する冷媒センサー５８を有していてもよい。この場合、仮に冷媒センサー５８によって冷媒の漏洩が検知された際、この検知結果に基づく制御部の制御により、後述するガス用遮断弁１４ａおよび液用遮断弁１４ｂを開状態から閉状態へと切り替える。これにより、室外機１と室内機４０との間における冷媒の流通を遮断し、冷媒の漏洩を生じた室内機４０を隔離することができる。
【００２６】
室内熱交換器５５は、暖房運転時において凝縮器の働きをし、冷媒配管４１ａから流入した冷媒と室内空気との間で熱交換を行い、冷媒を凝縮させて液化させ、冷媒配管４１ｂ側に流出させる。室内熱交換器５５は、冷房運転時には蒸発器の働きをし、膨張弁５４によって低圧状態にされた冷媒と室内空気との間で熱交換を行い、冷媒に空気の熱を奪わせて蒸発させて気化させ、冷媒配管４１ａ側に流出させる。送風機５７の運転速度は、ユーザーの設定により決定される。送風機５７には、インバータ装置を取り付け、ファンモーターの運転周波数を変化させてファンの回転速度を変更してもよい。
【００２７】
＜空気調和装置１００の冷房および暖房運転の動作例＞
次に、空気調和装置１００の動作例として冷房運転の動作を説明する。圧縮機５１によって圧縮され吐出された高温高圧のガス冷媒は、流路切替装置５２を経由して、室外熱交換器５３に流入する。室外熱交換器５３に流入したガス冷媒は、室外送風機５６により送風される外気との熱交換により凝縮し、低温の冷媒となって、室外熱交換器５３から流出する。室外熱交換器５３から流出した冷媒は、膨張弁５４によって膨張および減圧され、低温低圧の気液二相冷媒となる。この気液二相冷媒は、室内機４０の室内熱交換器５５に流入し、送風機５７により送風される室内空気との熱交換により蒸発し、低温低圧のガス冷媒となって室内熱交換器５５から流出する。このとき、冷媒に吸熱されて冷却された室内空気は、空調空気（吹出風）となって、室内機４０から空調対象空間へと吹き出される。室内熱交換器５５から流出したガス冷媒は、流路切替装置５２を経由して圧縮機５１に吸入され、再び圧縮される。空気調和装置１００の冷房運転は、以上の動作が繰り返される（図中、実線の矢印で示す）。
【００２８】
次に、空気調和装置１００の動作例として暖房運転の動作を説明する。圧縮機５１によって圧縮され吐出された高温高圧のガス冷媒は、流路切替装置５２を経由して、室内機４０の室内熱交換器５５に流入する。室内熱交換器５５に流入したガス冷媒は、送風機５７により送風される室内空気との熱交換により凝縮し、低温の冷媒となって、室内熱交換器５５から流出する。このとき、ガス冷媒から熱を受け取り暖められた室内空気は、空調空気（吹出風）となって、室内機４０から空調対象空間へと吹き出される。室内熱交換器５５から流出した冷媒は、膨張弁５４によって膨張および減圧され、低温低圧の気液二相冷媒となる。この気液二相冷媒は、室外機１の室外熱交換器５３に流入し、室外送風機５６により送風される外気との熱交換により蒸発し、低温低圧のガス冷媒となって室外熱交換器５３から流出する。室外熱交換器５３から流出したガス冷媒は、流路切替装置５２を経由して圧縮機５１に吸入され、再び圧縮される。空気調和装置１００の暖房運転は、以上の動作が繰り返される（図中、破線の矢印で示す）。
【００２９】
＜室外機カバー１０の構成＞
次に、図７〜図１０を参照しながら、本実施の形態１に係る室外機１に設けられる室外機カバー１０について説明する。図７は、図１の室外機の要部を示す内部斜視図である。図８は、図１の室外機の要部を示す外部斜視図である。図９は、図７の室外機カバーの内部構造を示す部分断面図である。図１０は、図７の室外機カバーの底面部を上方から見て示す概略図である。
【００３０】
図７〜図１０に示すように、室外機カバー１０は、筐体パネル２における背面上部外郭パネル２ｃの開口部２ｅに対向する面１０ａのみが開口した矩形状の五面体からなり、この開口部２ｅを覆うように、背面上部外郭パネル２ｃに対して着脱自在に設けられている。
【００３１】
室外機カバー１０は、筐体パネル２における背面上部外郭パネル２ｃに取り付けられた状態において、外方に向けて突出した形状をなしており、室外機カバー１０の内部空間Ｅに設置された遮断弁１４の周囲の五面を覆っている。ここで、遮断弁１４とは、不図示の制御部によって開閉を制御される電磁弁であり、例えば冷媒の漏洩が発生したことを制御部が判断すると、当該制御部によって自動で開状態から閉状態に切り替えられ、冷媒の流通を遮断するものである。
【００３２】
室外機カバー１０には、室外機１の機械室５に配置された冷媒配管１１と接続される中継配管１３と、中継配管１３に設けられる冷媒の流通を遮断する遮断弁１４と、が設けられている。また、室外機カバー１０には、遮断弁１４および中継配管１３の少なくとも一方を固定するための固定部１５が設けられている。
【００３３】
中継配管１３は、一方の端部に配管継手１６が取り付けられており、空気調和装置１００を設置する際の現地工事にて、室内機４０と接続される冷媒配管を容易に接続させることが可能となっている（図６参照）。また、中継配管１３は、他方の端部に配管継手１７が取り付けられており、当該配管継手１７を介して機械室５に配置される冷媒配管１１と接続可能になっている。
【００３４】
本実施の形態１の場合、遮断弁１４はガス用の中継配管１３を遮断するガス用遮断弁１４ａと、液用の中継配管１３を遮断する液用遮断弁１４ｂの２種類が配置されている。また、配管継手１７はガス用の中継配管１３の端部に取り付けられたガス用配管継手１７ａと、液用の中継配管１３の端部に取り付けられた液用配管継手１７ｂの２種類が配置されている。そして、これらガス用遮断弁１４ａと液用遮断弁１４ｂ、および、中継配管１３は、それぞれ固定部１５によって室外機カバー１０内に固定され、当該室外機カバー１０と一体に構成されている。
【００３５】
また、室外機カバー１０は、鉛直方向の下方に位置する底面部１８が、当該室外機カバー１０の開口した面１０ａに向かって下り傾斜した構造となっている。また、室外機カバー１０は、底面部１８の開口部２ｅ側端部における中央には、爪部１９が設けられている。この爪部１９は、筐体パネル２における開口部２ｅの圧縮機５１等が設置されている底板３０の周囲に設けられた係合部としてのフランジ部３１と係合する構造となっている。
【００３６】
さらに、室外機カバー１０は、底面部１８の開口部２ｅ側端部における爪部１９の両側に、底面部１８の両側部から爪部１９に向かって傾斜した導水部２０が設けられている。また、室外機カバー１０は、鉛直方向の上方に位置する上面部２１が、当該室外機カバー１０の開口した面１０ａに向かって上り傾斜した構造となっている。
【００３７】
このように構成された室外機１においては、室外機カバー１０を室外機１に設置する際に、まず遮断弁１４を室外機カバー１０の内部にある固定部１５に固定し、中継配管１３と冷媒配管１１とを配管継手１７を介して接続する。そして、室外機カバー１０の爪部１９を室外機１の底板３０のフランジ部３１に係合させることで仮固定し、不図示のネジにてフランジ部３１、前面下部外郭パネル２ｂおよび背面上部外郭パネル２ｃに固定する。その後、冷媒配管１１と閉鎖弁１２を接続し、遮断弁１４の他方の端部に取り付けられている配管継手１６と室内機４０とを冷媒配管４１ａ、４１ｂによって接続する。
【００３８】
このように、遮断弁１４が室外機１と室内機４０とを繋ぐ配管経路に設けられているので、遮断弁１４を操作することにより室外機１から室内機への冷媒の供給を遮断することができる。また、遮断弁１４を室外機カバー１０に固定するため、輸送時および運転時の振動により遮断弁１４が動くことを防止し、遮断弁１４に接続されている中継配管１３の変形および損傷を防ぐことができる。さらに、遮断弁１４は周囲五面を室外機カバー１０に覆われており、残り一面は室外機１の機械室５に面しているため、遮断弁１４は外気に露出しない構成となっている。そのため遮断弁１４に雨風が当たることを防止でき、また使用者が遮断弁１４等の部品および、それに付随する電気配線に接触することを防ぐことができ、破損および損傷を防ぐことができる。
【００３９】
また、室外機カバー１０と、中継配管１３および遮断弁１４とを一体とし、遮断弁１４を設けた中継配管１３と、冷媒配管１１とを配管継手１７を介して接続し、この冷媒配管１１と室外機１の冷媒配管４１ａ、４１ｂとを閉鎖弁１２を介して着脱自在とした。これにより、室外機カバー１０を室外機１に対して容易に後付けできるようにした。さらには、室外機カバー１０は他の筐体パネル２に比べ外側に突き出ていることにより、遮断弁１４および中継配管１３を除く遮断弁１４に付随している配管を、室外機カバー１０に覆われている内部空間Ｅに収める構成となっている。これにより、当初は遮断弁１４を組込む予定のなかった閉鎖弁１２を有する室外機１にも、据付け環境の変化に応じて、機械室５の内部構造および既存内部部品に遮断弁１４が干渉することなく、中継配管１３の形状を適宜変更させることで、後付けできる。すなわち、遮断弁１４および中継配管１３を備える室外機カバー１０を室外機１の別売製品として販売することも可能である。
【００４０】
室外機カバー１０は、底面部１８が開口した面１０ａに向かって下り傾斜していることにより、遮断弁１４およびそれに付属している中継配管１３等が結露し、その結露水が底面部１８に落ちた場合、この結露水が室外機１側へと流れるようになっている。さらに、底面部１８の両側に導水部２０が設置されていることから、結露水が底面部１８上のどこに滴下したとしても、底面部１８の傾斜により室外機１の機械室５側へと流れ、導水部２０を伝い中央の爪部１９から室外機１の底板３０内に流れ落ちる。室外機１の底板３０には、図示しない結露水排水穴が複数開いており、室外機１内の室外熱交換器５３等の他部品より発生する結露水と併せて排出される。
【００４１】
このように、室外機カバー１０は底面部１８に傾斜を設け、爪部１９付近より内部空間Ｅに発生する結露水を集中的に排水する構造としているので、この内部空間Ｅに水が溜まらず、結露水がとどまり続けることに起因する悪臭および腐食を防ぐことができる。
【００４２】
また、室外機カバー１０は、上面部２１に筐体パネル２に向けた上り傾斜を設けていることにより、降雨および降雪により溜まる雨水および雪が、自重により室外機カバー１０の上から滑り落ちる構造となっている。つまり、室外機カバー１０の上面部２１に雪が積もらないようにできるので、筐体パネル２に荷重が掛かるのを防止でき、筐体パネル２に負荷をかけないことにより、筐体パネル２自体の変形および応力が集中し易いパネル同士の接合部の損傷を避けることができる。
【００４３】
＜実施の形態１における効果＞
以上、説明したように、本実施の形態１の室外機１では、室外機１の筐体パネル２に内部の機械室５と連通する開口部２ｅを設け、当該開口部２ｅに対して、開口部２ｅと対向する面１０ａのみが開口してなる室外機カバー１０を着脱自在に設けるようにした。室外機カバー１０は、中継配管１３と、中継配管１３に設けられた遮断弁１４と、遮断弁１４および中継配管１３の少なくとも一方を固定するための固定部１５と、を有している。よって、室外機１の内部の機械室５と連通した内部空間Ｅを室外機カバー１０内に設け、当該内部空間Ｅを遮断弁１４の設置スペースとして確保できるので、当該遮断弁１４を容易に設置できる。
【００４４】
しかも、筐体パネル２に対して着脱自在な室外機カバー１０内に、遮断弁１４と中継配管１３とを固定部１５を介して配置するので、遮断弁１４から室外機１の内部へと伸びる配線が露出せず、当該配線が外部から直接接触されるのを回避できる。よって、当該配線の破損または損傷を防止できる。そればかりか、遮断弁１４および中継配管１３が室外機カバー１０内に配置されているので、雨および風等の環境下においても外気に晒されることを防止できる。その上、室外機カバー１０が着脱自在なので、メンテナンス性にも優れている。
【符号の説明】
【００４５】
１  室外機、２  筐体パネル、２ａ  前面上部外郭パネル、２ｂ  前面下部外郭パネル、２ｃ  背面上部外郭パネル、２ｄ  吹出口、２ｅ  開口部、３  仕切板、４  風路室、５  機械室、６  プロペラファン、６ａ  ボス、６ｂ  翼、１０  室外機カバー、１０ａ  面、１１  冷媒配管、１２  閉鎖弁、１２ａ  ガス用閉鎖弁、１２ｂ  液用閉鎖弁、１３  中継配管、１４  遮断弁、１４ａ  ガス用遮断弁、１４ｂ  液用遮断弁、１５  固定部、１６  配管継手、１７  配管継手、１７ａ  ガス用配管継手、１７ｂ  液用配管継手、１８  底面部、１９  爪部、２０  導水部、２１  上面部、３０  底板、３１  フランジ部、４０  室内機、４１ａ  冷媒配管、４１ｂ  冷媒配管、５０  冷媒回路、５１  圧縮機、５２  流路切替装置、５３  室外熱交換器、５４  膨張弁、５５  室内熱交換器、５６  室外送風機、５７  送風機、５８  冷媒センサー、１００  空気調和装置、Ｅ  内部空間。
【図１】
2020110226.tif 000003
【図２】
2020110226.tif 000004
【図３】
2020110226.tif 000005
【図４】
2020110226.tif 000006
【図５】
2020110226.tif 000007
【図６】
2020110226.tif 000008
【図７】
2020110226.tif 000009
【図８】
2020110226.tif 000010
【図９】
2020110226.tif 000011
【図１０】
2020110226.tif 000012
【手続補正書】
【提出日】令和2年12月3日(2020.12.3)
【手続補正１】
【補正対象書類名】明細書
【補正対象項目名】００１０
【補正方法】変更
【補正の内容】
【００１０】
本発明に係る室外機は、筐体パネルによって外郭を覆われた室外機であって、前記筐体パネルは、内部の機械室と連通した開口部を有しており、前記開口部には、前記開口部と対向する面のみが開口してなる室外機カバーが着脱自在に設けられ、前記室外機カバーは、前記室外機に配置された冷媒配管と接続される中継配管と、前記中継配管に設けられる冷媒の流通を遮断する遮断弁と、前記遮断弁および前記中継配管の少なくとも一方を固定するための固定部と、を内部に有するものである。
【手続補正２】
【補正対象書類名】特許請求の範囲
【補正対象項目名】全文
【補正方法】変更
【補正の内容】
【特許請求の範囲】
【請求項１】
筐体パネルによって外郭を覆われた室外機であって、
前記筐体パネルは、内部の機械室と連通した開口部を有しており、
前記開口部には、
前記開口部と対向する面のみが開口してなる室外機カバーが着脱自在に設けられ、
前記室外機カバーは、
前記室外機に配置された冷媒配管と接続される中継配管と、
前記中継配管に設けられる冷媒の流通を遮断する遮断弁と、
前記遮断弁および前記中継配管の少なくとも一方を固定するための固定部と、を内部に有する室外機。
【請求項２】
前記室外機カバーは、
鉛直方向の下方に位置する底面部が前記開口に向かって下り傾斜してなる請求項１に記載の室外機。
【請求項３】
前記室外機カバーは、
前記底面部の開口部側端部における中央に、前記筐体パネルにおける前記開口部の周囲に設けられた係合部と係合する爪部が設けられている請求項２に記載の室外機。
【請求項４】
前記室外機カバーは、
前記底面部の前記開口部側端部における前記爪部の両側に、前記底面部の両側部から前記爪部に向かって傾斜した導水部が設けられている請求項３に記載の室外機。
【請求項５】
前記室外機カバーは、
鉛直方向の上方に位置する上面部が前記開口に向かって上り傾斜してなる請求項１〜４のいずれか一項に記載の室外機。
【国際調査報告】
2020110226.tif 000013
2020110226.tif 000014